(57)【要約】【課題】レバーを初期位置に保持しておくための保持手段と、レバーの回動及び両ハウジングの嵌合を一気に進めるための慣性ロック手段との双方の信頼性を高める。【解決手段】両ハウジング１０，３０が未嵌合のときは、係止部１４と撓みロック片２５との係止代を大きくすることで、レバー２０を初期位置に確実に保持できる。この状態から、カムフォロア３１がカム溝２３に進入するまで第２ハウジング３０を第１ハウジング１０に嵌合すると、解除部３２が撓みロック片２５を弾性撓みさせて係止部１４との係止代を減少させる。これにより、慣性ロックを機能させる際に撓みロック片２５を係止部１４から解離させるのに必要な力は、両ハウジング１０，３０が未嵌合状態でレバー２０を初期位置に保持しているときに比べて小さくなる。【選択図】  図８
2004311252.tif 000002
【特許請求の範囲】
【請求項１】
第１ハウジングと、
カムフォロアを有し、前記第１ハウジングとの嵌合を可能とされた第２ハウジングと、
カム溝を有し、前記第１ハウジングに回動可能に支持されたレバーとを備えてなり、
前記レバーと前記第１ハウジングのうちのいずれか一方には撓みロック片を設けるとともに、他方には、前記撓みロック片と係止することにより、前記カム溝に対する前記カムフォロアの進入を許容する初期位置に前記レバーをロックする係止部を設け、
前記レバーを初期位置にロックするとともに前記カムフォロアを前記カム溝に進入させた状態で、前記両ハウジング間の嵌合抵抗を上回る回動力を前記レバーに付与することで、前記撓みロック片が弾性撓みしつつ前記係止部から解離してレバーに対するロックが解除され、ロック解除直後の慣性により前記レバーの回動が正規の嵌合状態まで一気に進むとともに、前記カム溝と前記カムフォロアの係合によるカム作用により前記両ハウジングが一気に正規嵌合状態に至るようにしたレバー式コネクタにおいて、
前記第２ハウジングに、前記カムフォロアが前記カム溝に進入するまで前記第１ハウジングへの嵌合を進めた状態において、前記撓みロック片を弾性撓みさせることで前記撓みロック片の前記係止部に対する係止代を減少させる解除部を設けたことを特徴とするレバー式コネクタ。
【請求項２】
前記撓みロック片は片持ち状に延出する形態であり、
前記撓みロック片と前記係止部との係止方向は、前記撓みロック片の延出方向と略直交する方向であるものにおいて、
前記撓みロック片に対する前記解除部の当接方向が、前記撓みロック片の延出方向と概ね平行な方向とされていることを特徴とする請求項１記載のレバー式コネクタ。
【請求項３】
前記レバーには、その回動中心から最も遠い位置に操作部が設けられ、
前記撓みロック片は、前記操作部よりも回動中心に近い位置に配置されていることを特徴とする請求項１又は請求項２記載のレバー式コネクタ。
【請求項４】
前記撓みロック片を前記レバーに設け、前記レバーが初期位置から回動を進めるのに伴い、前記撓みロック片が前記解除部から解離するようにしたことを特徴とする請求項１乃至請求項３のいずれかに記載のレバー式コネクタ。
【請求項５】
前記レバーに、弾性撓みした状態の撓みロック片を収容する収容空間を形成したことを特徴とする請求項４記載のレバー式コネクタ。
【発明の詳細な説明】
【０００１】
【発明の属する技術分野】
本発明は、慣性ロック手段を備えたレバー式コネクタに関するものである。
【０００２】
【従来の技術】
慣性ロック機能を備えたレバー式コネクタとして、特許文献１に記載されているものがある。このレバー式コネクタは、雄ハウジングにレバーを回動可能に支持するとともに、雄ハウジングのフード部を構成する側壁に撓みロック片を形成し、その撓みロック片にレバーを係止させることで、レバーを初期位置（カム溝の入口が雌ハウジング側に開口する姿勢）で回動規制した状態にロックしておくようになっている。
【０００３】
この状態から、雄ハウジングのフード部に雌ハウジングを浅く嵌合し、レバーのカム溝の入口に雌ハウジングのカムピンを進入させる。そして、両ハウジングの嵌合抵抗を上回る大きな回動操作をレバーに付与すると、撓みロック片が弾性撓みしつつレバーから解離し、解離直後の慣性によってレバーの回動が一気に正規嵌合位置まで進み、レバーの回動に伴ってカム溝とカムピンとの係合によるカム作用により、雌雄両ハウジングが正規嵌合状態に至る。
【０００４】
つまり、撓みロック片は、レバーを初期位置に保持しておくための手段と、レバーの回動及び両ハウジングの嵌合を一気に進めるための慣性ロック手段とを兼ねている。
【０００５】
【特許文献１】
特開平１０−２１４６５３号公報
【０００６】
【発明が解決しようとする課題】
レバーを初期位置に保持する手段の信頼性を高めるためには、撓みロック片とレバーとの係止力が大きいことが望ましい。一方、慣性ロック手段としては、撓みロック片とレバーとの係止力が、両ハウジングの嵌合抵抗を上回る大きさであれば足り、撓みロック片とレバーとの係止力が大きくなり過ぎると、レバーの回動を開始するときの操作性が低下することになる。
【０００７】
そのため、上記のように撓みロック片がレバーを保持する手段と慣性ロック手段を兼ねている構造では、ロック機能を優先させるとレバーの回動操作性が低下し、逆に、レバーの回動操作性を優先すると、レバーを初期位置にロックする機能の信頼性が低下することになる。
本願発明は上記事情に鑑みて創案され、レバーを初期位置に保持しておくための保持手段と、レバーの回動及び両ハウジングの嵌合を一気に進めるための慣性ロック手段との双方の信頼性を高めることを目的としている。
【０００８】
【課題を解決するための手段】
請求項１の発明は、第１ハウジングと、カムフォロアを有し、前記第１ハウジングとの嵌合を可能とされた第２ハウジングと、カム溝を有し、前記第１ハウジングに回動可能に支持されたレバーとを備えてなり、前記レバーと前記第１ハウジングのうちのいずれか一方には撓みロック片を設けるとともに、他方には、前記撓みロック片と係止することにより、前記カム溝に対する前記カムフォロアの進入を許容する初期位置に前記レバーをロックする係止部を設け、前記レバーを初期位置にロックするとともに前記カムフォロアを前記カム溝に進入させた状態で、前記両ハウジング間の嵌合抵抗を上回る回動力を前記レバーに付与することで、前記撓みロック片が弾性撓みしつつ前記係止部から解離してレバーに対するロックが解除され、ロック解除直後の慣性により前記レバーの回動が正規の嵌合状態まで一気に進むとともに、前記カム溝と前記カムフォロアの係合によるカム作用により前記両ハウジングが一気に正規嵌合状態に至るようにしたレバー式コネクタにおいて、前記第２ハウジングに、前記カムフォロアが前記カム溝に進入するまで前記第１ハウジングへの嵌合を進めた状態において、前記撓みロック片を弾性撓みさせることで前記撓みロック片の前記係止部に対する係止代を減少させる解除部を設けた構成とした。
【０００９】
請求項２の発明は、請求項１の発明において、前記撓みロック片は片持ち状に延出する形態であり、前記撓みロック片と前記係止部との係止方向は、前記撓みロック片の延出方向と略直交する方向であるものにおいて、前記撓みロック片に対する前記解除部の当接方向が、前記撓みロック片の延出方向と概ね平行な方向とされている構成とした。
請求項３の発明は、請求項１又は請求項２の発明において、前記レバーには、その回動中心から最も遠い位置に操作部が設けられ、前記撓みロック片は、前記操作部よりも回動中心に近い位置に配置されている構成とした。
【００１０】
請求項４の発明は、請求項１乃至請求項３のいずれかの発明において、前記撓みロック片を前記レバーに設け、前記レバーが初期位置から回動を進めるのに伴い、前記撓みロック片が前記解除部から解離するようにした構成とした。
請求項５の発明は、請求項４の発明において、前記レバーに、弾性撓みした状態の撓みロック片を収容する収容空間を形成した構成とした。
【００１１】
【発明の作用及び効果】
［請求項１の発明］
両ハウジングが未嵌合の状態では、係止部に対する撓みロック片の係止代を大きくすることで、レバーを初期位置に確実に保持しておくことができる。この状態から、カムフォロアがカム溝に進入するまで第２ハウジングを第１ハウジングに嵌合すると、解除部が撓みロック片を弾性撓みさせて係止部との係止代を減少させる。これにより、慣性ロックを機能させる際に撓みロック片を弾性撓みさせつつ係止部から解離させるのに必要な力は、両ハウジングが未嵌合でレバーを初期位置に保持している状態に比べて小さくなる。
【００１２】
かかる本願の構成によれば、両ハウジングが未嵌合のときにレバーを初期位置に保持する機能の信頼性の向上と、両ハウジングの嵌合過程において慣性ロックを機能させる際のレバーの操作性の向上とを、共に実現することができる。
［請求項２の発明］
解除部が撓みロック片に当接するとき、撓みロック片は、その延出方向と略直交する方向へ押し動かされることがないので、撓みロック片が係止部に対して正規の係止状態を保つことができる。
【００１３】
［請求項３の発明］
撓みロック片は操作部よりも回動中心に近い位置にあるので、操作部に付与された回動操作力は、増幅されて撓みロック片と係止部との係止位置に作用する。
したがって、解除部が撓みロック片を弾性撓みさせた状態における撓みロック片と係止部との係止代を比較的大きく確保しても、慣性ロックを機能させるときのレバーの操作性が低下せずに済む。このように係止代を大きく確保するということは、解除部による撓みロック片の弾性撓み量が小さくて済むことを意味するので、撓みロック片の弾性撓み状態が長時間続くような場合でも撓みロック片のヘタリを回避することができる。
【００１４】
［請求項４の発明］
撓みロック片が解除部によって弾性撓みを生じても、レバーを回動させれば撓みロック片は解除部から解離するので、撓みロック片を弾性復帰させることができる。したがって、撓みロック片の弾性撓み状態が長時間続くことを回避して、撓みロック片のヘタリを防止することができる。
［請求項５の発明］
解除部の当接によって撓みロック片が弾性撓みするときや、撓みロック片を係止部から完全に解離させつつ弾性撓みさせるときに、その撓みロック片は収容空間内に収容されるようになっているので、撓みロック片が異物との干渉によって弾性撓みに支障を来す虞がない。
【００１５】
【発明の実施の形態】
［実施形態１］
以下、本発明を具体化した実施形態１を図１乃至図８を参照して説明する。
本実施形態１のレバー式コネクタは、第１ハウジング１０と、レバー２０と、第２ハウジング３０とを備えて構成されている。
第１ハウジング１０は、合成樹脂製であり、前方（図１〜図３における左方）へ角筒状に突出するフード部１１を有する。第１ハウジング１０内には、先端にタブを有する雄端子金具（図示せず）が収容され、フード部１１内においてはタブが前方へ突出している。第１ハウジング１０の左右両外側面における後端側位置には、レバー２０を支持するための一対の支持軸１２（本発明の構成要件である回動中心）が突出形成されている。
【００１６】
フード部１１を構成する左右両側壁部１１Ｓには、夫々、その前端に開放する略方形の切欠部１３が形成されており、この切欠部１３の前後方向（フード部１１に対する第２ハウジング３０の嵌合方向と平行な方向）へ直線状に延びる上縁部は、係止部１４とされている。また、切欠部１３における略下半分領域は、カムフォロア３１がカム溝２３に進入する際にフード部１１との干渉を回避するための回避空間となっている。
【００１７】
レバー２０は、合成樹脂製であって、第１ハウジング１０の上方に配される操作部２１と、この操作部２１の左右両端から第１ハウジング１０の左右両外側面に沿うように延出する一対の板状のアーム部２２とを一体成形したものである。アーム部２２の内側面（第１ハウジング１０の外側面と対向する面）には、入口をアーム部２２の外周縁に開口させたカム溝２３が形成されている。かかるレバー２０は、両アーム部２２の軸受孔２４を支持軸１２に嵌合させることにより、第１ハウジング１０に対して初期位置（図１及び図２を参照）と嵌合完了位置（図３を参照）との間で約９０°の角度回動し得るように支持されている。レバー２０が初期位置にある状態では、カム溝２３の入口が、フード部１１の切欠部１３と対応する高さに位置するとともに、前方（第２ハウジング３０と対応する方向）に向かって開口するようになっていて、これにより、カム溝２３に対してカムフォロア３１が進入可能となっている。
【００１８】
両アーム部２２には、夫々、撓みロック片２５が形成されている。アーム部２２には、その外側面から内側面に連通する略Ｕ字形のスリット２６が形成され、このスリット２６で囲まれた細長い部分が片持ち状に延出する形態の撓みロック片２５となっている。撓みロック片２５の内側面は、アーム部２２の内側面と面一状をなし、その内側面における延出端部には、アーム部２２の内側面よりも内側へ突出する係止突起２５ａが形成されている。撓みロック片２５の外側面は、アーム部２２の外側面よりも内側へ奥まった位置にあり、アーム部２２の板厚の範囲内における撓みロック片２５の外側面よりも外方の空間は、収容空間２７となっている。撓みロック片２５は、外方（レバー２０の回動中心と略平行な方向であって、両ハウジング１０，３０の嵌合方向と略直角な方向）へ弾性撓みし得るようになっている。撓みロック片２５が最も弾性撓みしたときでも、撓みロック片２５は収容空間２７内に収容された状態となり、撓みロック片２５がアーム部２２の外側面よりも外方へ突出することはない。
【００１９】
レバー２０が初期位置にある状態では、撓みロック片２５が前方へ延出する向きとなり、撓みロック片２５の上縁の高さは、フード部１１の切欠部１３の係止部１４とほぼ同じ高さとなる。したがって、撓みロック片２５の係止突起２５ａは、切欠部１３内に嵌入してその上縁を係止部１４に対して下から係止させる状態となる。この係止突起２５ａと係止部１４との係止により、初期位置にあるレバー２０は嵌合完了位置側へ回動することを規制されている。このとき係止突起２５ａの内側面はフード部１１の内側面とほぼ面一となるように位置する。つまり、係止突起２５ａと係止部１４との係止代は、係止部１４の形成されている側壁部１１Ｓの壁厚寸法と同じ寸法である。
【００２０】
また、レバー２０が初期位置にあるときに、撓みロック片２５の高さは支持軸１２（レバー２０の回動中心）とほぼ同じ高さにあるので、レバー２０が嵌合完了位置側への回動を開始するときの回動方向（変位方向）は、概ね上方向、即ち係止部１４に対する撓みロック片２５の係止方向と略同方向であって、撓みロック片２５の延出方向に対して略直角方向である。
第２ハウジング３０は、合成樹脂製であり、全体としてブロック状をなし、その内部には、雄端子金具のタブと嵌合可能な角筒部を有する雌端子金具（図示せず）が収容されている。第２ハウジング３０の左右両外側面には、一対の円柱形をなすカムフォロア３１が突出して形成されている。
【００２１】
同じく第２ハウジング３０の左右両外側面には、レバー２０が初期位置にあるときの撓みロック片２５と同じ高さにおいて前後方向（フード部１１に対する第２ハウジング３０の嵌合方向と平行な方向）へ細長く延びる一対のリブ状をなす解除部３２が形成されている。このリブ状に突出する解除部３２の突出高さ（第２ハウジング３０の外側面から解除部３２の外側面までの距離）については、フード部１１に嵌合したときに、解除部３２の外側面が、フード部１１の側壁部１１Ｓの壁厚の範囲内に位置し、且つ係止部１４と係止されている係止突起２５ａと干渉するように設定されている。
【００２２】
次に、本実施形態の作用を説明する。
両ハウジング１０，３０を嵌合する際には、第１ハウジング１０において撓みロック片２５を係止部１４に係止させることによりレバー２０を初期位置に保持しておく。このときの係止部１４と撓みロック片２５との係止代は、係止部１４の形成母体であるフード部１１の側壁部１１Ｓの壁厚寸法と同じ寸法である（図５及び図７を参照）。
この状態から、フード部１１に第２ハウジング３０を浅く嵌合すると、カムフォロア３１がカム溝２３の入口に進入するとともに、解除部３２の前端のテーパ面３２ａが係止突起２５ａに当接し、そのテーパ面３２ａの傾斜により係止突起２５ａが外方へ押し動かされ、係止突起２５ａの内側面が解除部３２の外側面に当接する状態となる。これにより、撓みロック片２５が係止部１４から解離する方向（外側）へ弾性撓みし、係止突起２５ａと係止部１４との係止代が減少する（図６及び図８を参照）。この減少したときの係止代は、解除部３２の外側面からフード部１１の外側面までの距離、即ち側壁部１１Ｓの壁厚よりも小さい寸法となる。この状態でも、撓みロック片２５と係止部１４との係止により、レバー２０は初期位置において回動規制された状態に保たれる。
【００２３】
次に、レバー２０に対して雄端子金具と雌端子金具との間の摩擦抵抗に起因する両ハウジング１０，３０間の嵌合抵抗を上回る回動力をレバー２０の操作部２１に付与すると、撓みロック片２５が更に外側へ弾性撓みして係止突起２５ａが係止部１４から解離する。その瞬間、撓みロック片２５と係止部１４との係止によるレバー２０の回動規制状態が解除されると同時に、レバー２０に付与されていた回動力が解放されることにより、レバー２０には大きな慣性力が付与される。この慣性力により、レバー２０が一気に嵌合完了位置へ回動されるとともに、カム溝２３とカムフォロア３１との係合によるカム作用によって両ハウジング１０，３０が正規の嵌合状態へ一気に進む。
【００２４】
上述のように本実施形態においては、両ハウジング１０，３０が未嵌合のときに、係止部１４に対する撓みロック片２５の係止代を大きくすることで、レバー２０を初期位置に確実に保持しておくことができる。そして、この状態から、カムフォロア３１がカム溝２３に進入するまで第２ハウジング３０を第１ハウジング１０に嵌合すると、解除部３２が撓みロック片２５を弾性撓みさせて係止部１４に対する撓みロック片２５の係止代を減少させるようになっている。これにより、慣性ロックを機能させる際に撓みロック片２５を弾性撓みさせつつ係止部１４から解離させるのに必要な力は、両ハウジング１０，３０が未嵌合であってレバー２０を初期位置にロックしている状態に比べて小さくなる。
【００２５】
かかる本実施形態によれば、両ハウジング１０，３０が未嵌合のときにレバー２０を初期位置に保持する機能の信頼性の向上と、両ハウジング１０，３０の嵌合過程において慣性ロックを機能させる際のレバー２０の操作性の向上とが、共に実現されている。
また、本実施形態では、撓みロック片２５が片持ち状に延出し、撓みロック片２５と係止部１４との係止方向が、撓みロック片２５の延出方向と略直交する方向となっているため、撓みロック片２５がその延出方向と略直交する方向へ変位し易く、その変位によって係止部１４との係止状態が不安定になることが懸念される。しかし、撓みロック片２５に対する解除部３２の当接方向を撓みロック片２５の延出方向と概ね平行な方向としているので、解除部３２が撓みロック片２５に当接するときに、撓みロック片２５は、その延出方向と略直交する方向へ押し動かされる虞がない。したがって、撓みロック片２５と係止部１４に対して正規の係止状態を保つことができ、第１ハウジング１０に対してレバー２０が初期位置からずれる虞がない。
【００２６】
また、レバー２０を回動操作するための操作部２１は回動中心（支持軸１２）から最も遠い位置に配置され、その操作部２１よりも回動中心に近い位置に撓みロック片２５を配置しているので、操作部２１に付与された回動操作力は、増幅されて撓みロック片２５と係止部１４との係止位置に作用することになる。したがって、解除部３２が撓みロック片２５を弾性撓みさせた状態における撓みロック片２５と係止部１４との係止代を比較的大きく確保しても、慣性ロックを機能させるときのレバー２０の操作性が低下せずに済む。このように係止代を大きく確保するということは、解除部３２による撓みロック片２５の弾性撓み量が小さくて済むことを意味するので、撓みロック片２５の弾性撓み状態が長時間続くような場合でも撓みロック片２５のヘタリを回避することができる。
【００２７】
また、本実施形態では、レバー２０が初期位置から嵌合完了位置側へ回動すると、撓みロック片２５が解除部３２から解離するようになっているので、撓みロック片２５は、解除部３２から解離した後、自由状態へ弾性復帰することができる。これにより、撓みロック片２５の弾性撓み状態が長時間続くことを回避して、撓みロック片２５のヘタリが防止されている。
また、レバー２０には、弾性撓みした状態の撓みロック片２５を収容する収容空間２７を形成しているので、解除部３２の当接によって撓みロック片２５が弾性撓みするときや、撓みロック片２５を係止部１４から完全に解離させつつ弾性撓みさせるときに、その撓みロック片２５は収容空間２７内に収容された状態を保つ。したがって、撓みロック片２５が異物との干渉によって弾性撓みに支障を来す虞がなく、撓みロック片２５と係止部１４との係止解除の動作が支障なく行われ、ひいては、レバー２０の回動動作及び両ハウジング１０，３０の嵌合動作が円滑に且つ確実に行われるようになっている。
【００２８】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では先端にタブを有する雄端子金具を保持するための雄側ハウジングにレバーを支持したが、本発明によれば、雄端子金具との接続相手である雌端子金具を保持する雌側ハウジングにレバーを支持してもよい。
【００２９】
（２）上記実施形態では撓みロック片をレバーに設け、係止部を第１ハウジングに設けたが、本発明によれば、撓みロック片を第１ハウジングに設け、係止部をレバーに設けてもよい。
（３）上記実施形態では撓みロック片の延出方向を撓みロック片に対する解除部の当接方向と平行な方向としたが、本発明によれば、撓みロック片の延出方向を、撓みロック片に対する解除部の当接方向に対して斜め方向又は略直角方向としてもよい。
【００３０】
（４）上記実施形態では撓みロック片の延出方向を、撓みロック片に対する解除部の当接方向とは逆向きとしたが、本発明によれば、撓みロック片の延出方向を、撓みロック片に対する解除部の当接方向と同じ方向としてもよい。
（５）上記実施形態では撓みロック片を片持ち状に延出する形態としたが、本発明によれば、撓みロック片を両端支持形態としてもよい。
（６）上記実施形態では撓みロック片と係止部との係止方向を撓みロック片の延出方向と略直角方向としたが、本発明によれば、撓みロック片と係止部との係止方向は、撓みロック片の延出方向と略平行又は延出方向に対して斜め方向としてもよい。
【００３１】
（７）上記実施形態では撓みロック片の延出方向をレバーの回動方向に対して略直角方向としたが、本発明によれば、撓みロック片の延出方向をレバーの回動方向と略同方向又は回動方向に対して斜め方向としてもよい。
（８）上記実施形態では撓みロック片の弾性撓み方向をレバーの回動軸と略同方向（両ハウジングの嵌合方向と略直角な方向）としたが、本発明によれば、撓みロック片の弾性撓み方向をレバーの回動軸と略直角な方向（径方向又は周方向）としてもよい。
【００３２】
（９）上記実施形態では撓みロック片が弾性撓みした状態でもその撓みロック片がレバーの板厚内に収容された状態を保つようにしたが、本発明によれば、撓みロック片が係止部との係止代を減少させた状態で、撓みロック片の一部がレバーの外面から外側へ突出するようにしてもよい。
（１０）上記実施形態では撓みロック片、係止部及び解除部を左右一対ずつ設けたが、本発明によれば、撓みロック片、係止部及び解除部は左右いずれか一方のみに設けてもよく、あるいは、撓みロック片をレバーの操作部に設け、係止部を第１ハウジングの上面に設け、解除部を第２ハウジングの上面に設ける構成としてもよい。
【図面の簡単な説明】
【図１】実施形態１において両ハウジングが未嵌合であってレバーが初期位置に保持されている状態をあらわす側面図
【図２】カム溝にカムフォロアが進入するまで両ハウジングを浅く嵌合した状態をあらわす側面図
【図３】両ハウジングが正規嵌合した状態をあらわす側面図
【図４】レバーが初期位置に保持されている状態の第１ハウジングの正面図
【図５】レバーが初期位置に保持されている状態をあらわす横断面図
【図６】撓みロック片と係止部との係止代が減少した状態をあらわす横断面図
【図７】図５におけるＡ−Ａ断面図
【図８】図６におけるＢ−Ｂ断面図
【符号の説明】
１０…第１ハウジング
１２…支持軸（回動中心）
１４…係止部
２０…レバー
２１…操作部
２３…カム溝
２５…撓みロック片
２７…収容空間
３０…第２ハウジング
３１…カムフォロア
３２…解除部
【図１】
2004311252.tif 000003
【図２】
2004311252.tif 000004
【図３】
2004311252.tif 000005
【図４】
2004311252.tif 000006
【図５】
2004311252.tif 000007
【図６】
2004311252.tif 000008
【図７】
2004311252.tif 000009
【図８】
2004311252.tif 000010